(57)【要約】【課題】  使用後に廃棄する際、鏡や磁石などの異材質パーツの取り外しが容易にできるコンパクトケースを提供すること。【解決手段】  化粧料を収容するケース本体と、ケース本体にヒンジ部を介して開閉可能に枢着された蓋体とを具えたコンパクトケースであって、蓋体は、蓋体と材質が異なる異材質パーツを位置決め配置する蓋枠と、蓋枠の上面を覆うカバーとからなり、蓋枠は、上面に異材質パーツの下面形状に対応する形状の凹所が形成され、カバーは、蓋枠に位置決め配置された異材質パーツを固定することを特徴とする。【選択図】  図１
2015104430.tif 000002
【特許請求の範囲】
【請求項１】
化粧料を収容するケース本体と、ケース本体にヒンジ部を介して開閉可能に枢着された蓋体とを具えたコンパクトケースであって、
蓋体は、蓋体と材質が異なる異材質パーツを位置決め配置する蓋枠と、蓋枠の上面を覆うカバーとからなり、
蓋枠は、上面に異材質パーツの下面形状に対応する形状の凹所が形成され、
カバーは、蓋枠に位置決め配置された異材質パーツを固定することを特徴とするコンパクトケース。
【請求項２】
蓋枠は、下面が平坦な基板と、基板の上面から前方または後方を除く三方を囲むように立ち上げた壁とからなり、
凹所は、基板上面に形成された段部または包囲壁であることを特徴とする請求項１記載のコンパクトケース。
【請求項３】
カバーは、天板と、天板の下面から後方または前方を除く三方を囲むよう垂下した壁とからなり、異材質パーツの上面を押さえるリブが裏面に形成されていることを特徴とする請求項２に記載のコンパクトケース。
【請求項４】
蓋枠およびカバーは、互いに前後方向に摺動可能なガイド機構を具えることを特徴とする請求項１〜３のいずれかに記載のコンパクトケース。
【請求項５】
異材質パーツは、鏡と磁石であることを特徴とする請求項１〜４のいずれかに記載のコンパクトケース。
【発明の詳細な説明】
【技術分野】
【０００１】
本発明は、化粧料を収容するコンパクトケースに関し、より詳しくは、使用後に廃棄する際、鏡や磁石など異材質パーツの取り外しが容易にできるコンパクトケースに関する。
【背景技術】
【０００２】
この種のコンパクトケースは、ファンデーションなどの化粧料を収容するケース本体と、内側に鏡が装着された蓋体とからなり、ケース本体と蓋体は、ヒンジ部を介して開閉可能に枢着されるとともに、互いに係止機構を介して閉鎖状態を維持できるように構成されている。
そして、このようなコンパクトケースにおいては、使用後に廃棄する際、コンパクトケースの蓋体から鏡を取り外して分別廃棄することは、従来から知られている（例えば、特許文献１参照）。
また、コンパクトケースにおけるケース本体と蓋体の係止機構として、磁石の吸着作用を利用することも、従来から知られている（例えば、特許文献２参照）。
【先行技術文献】
【特許文献】
【０００３】
【特許文献１】特開２００３−３８２４１号公報
【特許文献２】特開２００５−３４８８８６号公報
【発明の概要】
【発明が解決しようとする課題】
【０００４】
上記特許文献１のコンパクトケースは、蓋体に取着された台枠に立設された支枠に、変形・復元可能な連結部をヒンジとして、押え板と保持板とを具えた鏡押え枠を廻動自在に取付け、鏡押え枠の廻動により、鏡を着脱するようにしている。
このコンパクトケースに鏡を装着するにあたっては、鏡押え枠が、押え板と、該押え板に直交する保持板と、操作片とを具えており、鏡装着時に水平状態とした保持板に鏡を載置し、鏡押え枠を廻動させて保持板の係合突条を台枠の係止溝に係止させ、鏡を押え板で押圧することによって、蓋体底面に保持させるようにしている。
また、鏡の取り外しにあたっては、鏡押え枠を廻動させ、保持板によって鏡を持ち上げ、取外し可能としている。
【０００５】
しかしながら、上記特許文献１記載のコンパクトケースでは、蓋体に鏡を装着するために、専用の部材を具える必要があり、構造が複雑になるという問題があった。
また、上記特許文献２記載のコンパクトケースでは、蓋体に嵌め込まれた磁石が接着剤によって固定されているために、廃棄時にコンパクトケースから磁石を簡単に取り外すことができなかった。
さらに、コンパクトケースの蓋体に磁石を着脱自在に装着するにしても、鏡の装着とは別に専用の部材が必要となるため、コンパクトケースの蓋体に両者を装着する際、二度手間となるだけでなく、廃棄時に両者を取り外して分別廃棄する際にも二度手間になるという問題があった。
【０００６】
本発明は、上記問題を解決することを課題とし、蓋体に対して鏡や磁石などの異材質パーツを単一の部材で装着することができ、さらに、使用後の廃棄に際して、蓋体からの異材質パーツの取り外しも容易にできることで、異材質パーツを容易に分別廃棄することができ、環境に配慮したリサイクル性に優れたコンパクトケースを提供することを目的とする。
【課題を解決するための手段】
【０００７】
本発明は、上記の課題を解決するため、コンパクトケースとして、化粧料を収容するケース本体と、ケース本体にヒンジ部を介して開閉可能に枢着された蓋体とを具えたコンパクトケースであって、蓋体は、蓋体と材質が異なる異材質パーツを位置決め配置する蓋枠と、蓋枠の上面を覆うカバーとからなり、蓋枠は、上面に異材質パーツの下面形状に対応する形状の凹所が形成され、カバーは、蓋枠に位置決め配置された異材質パーツを固定することを特徴とする構成を採用する。
【０００８】
コンパクトケースの蓋体の実施形態として、蓋枠は、下面が平坦な基板と、基板の上面から前方または後方を除く三方を囲むように立ち上げた壁とからなり、凹所は、基板上面に形成された段部または包囲壁であることを特徴とする構成、また、カバーは、天板と、天板の下面から後方または前方を除く三方を囲むよう垂下した壁とからなり、異材質パーツの上面を押さえるリブが裏面に形成されていることを特徴とする構成を採用する。
【０００９】
コンパクトケースの具体的な実施形態として、蓋枠およびカバーは、互いに前後方向に摺動可能なガイド機構を具えることを特徴とする構成、また、異材質パーツは、鏡と磁石であることを特徴とする構成を採用する。
【発明の効果】
【００１０】
本発明のコンパクトケースにおいて、蓋体は、蓋枠とカバーとの二つの部品から構成されているから、蓋体に鏡や磁石などの異材質パーツを装着する際、蓋枠に異材質パーツを位置決め配置した後、蓋枠にカバーを被せるだけで容易に蓋体を組み立てることができる。
また、使用後に廃棄する際、蓋体からカバーを外すだけで、蓋枠に位置決め配置された異材質パーツを容易に取り外すことができる。
【００１１】
このように、本発明のコンパクトケースは、蓋体から鏡や磁石などの異材質パーツを容易に取り外すことができることで、使用後に異材質パーツを分別廃棄することができる。
このため、本発明のコンパクトケースは、環境に配慮して、材質別にリサイクルすることができる。
【図面の簡単な説明】
【００１２】
【図１】本発明の実施例であるコンパクトケースの側断面図である。
【図２】蓋枠を示す図であり、（ａ）は上面図であり、（ｂ）は右側面図であり、（ｃ）はＸ１−Ｘ１における矢視断面図である。
【図３】図２に示す蓋枠を上面からみた斜視図である。
【図４】カバーを示す図であり、（ａ）は正面図であり、（ｂ）は下面図であり、（ｃ）はＹ１−Ｙ１における矢視断面図である。
【図５】図４に示すカバーを下面からみた斜視図である。
【図６】ケース本体を示す図であり、（ａ）は上面図であり、（ｂ）はＹ２−Ｙ２における矢視断面図である。
【図７】蓋枠とカバーを組み立てて蓋体とする途中の状態を示す図であり、（ａ）は側断面図であり、（ｂ）は下面図であり、（ｃ）はＸ２−Ｘ２における矢視断面図である。
【発明を実施するための形態】
【００１３】
次に、本発明のコンパクトケースについて、実施例として示した図面を参照して説明する。
【実施例】
【００１４】
図１に示すように、本実施例のコンパクトケースＡは、ファンデーションなどの化粧料を収容する合成樹脂製の容器である。
コンパクトケースＡは、図示しない化粧料および化粧料塗布具をそれぞれ収容するケース本体Ｂと、ケース本体Ｂにヒンジ部Ｄを介して開閉可能に枢着された蓋体Ｃとを具えている。
なお、以下の説明では、図１に示す蓋体Ｃを閉じたコンパクトケースＡからみて蓋体Ｃ側を「上」とし、ケース本体Ｂ側を「下」とする。また、図中にＹで示す線分に沿ってヒンジ部Ｄ側を「後」とし、ヒンジ部Ｄの反対側を「前」とする。
また、図中、Ｙ方向に直交する水平方向（図中、Ｘ方向）を「横方向」とする。
【００１５】
図６に示すように、ケース本体Ｂは、底壁１の外縁に周壁２が全周にわたって立設された構造からなり、全体として扁平な直方体の箱状に形成されている。
底壁１の内面から、底壁１と一体に仕切壁３が立設され、化粧料を収容するレフィル皿４を収容保持する後方の第１凹部ｅと図示しない化粧料塗布具を収容する前方の第２凹部ｆとに区画されている。
なお、本実施例では、図６（ａ）からわかるように、仕切壁３は、周壁２の内周まで達していないが、周壁２の内周まで仕切壁３を延長するようにしても構わない。
【００１６】
レフィル皿４は、全周に縁部を有し、全体として扁平な矩形状をなすものであり、第１凹部ｅに固定保持できるように、前方下部および後方下部にくさび状の係合片５が形成されている。
これに対応して、仕切壁３の後方側には、皿係止片６が形成されるとともに、後方側の周壁２の内周には、皿係止片７が形成され、それぞれレフィル皿４に形成された係合片５を係止するようになっている。
【００１７】
周壁２の後方両端部には、ヒンジ部Ｄの一部を構成する一対の第１ヒンジブロック１０，１０が一体に形成され、第１ヒンジブロック１０，１０には、横方向の軸孔１１が穿設されている。
また、ケース本体Ｂの前方には、後述する蓋体に装着された第１磁石２０と対応する断面長方形の棒状の第２磁石１２を横方向に装着している。
第２磁石１２は、底壁１の内面から周壁２の高さよりも低く立設され、第２磁石１２を囲むように周壁２の前方内周に接続された囲い壁１３内に収容されており、第２磁石１２は、その上から断面が逆Ｌ字型の磁石押え１４によって固定されている。
さらに、磁石押え１４には、囲い壁１３の前後方向部分を挟み込む一対のリブ１５，１５が形成され、磁石押え１４の横方向の位置決めをするようになっている。
【００１８】
つぎに、図１に示すように、蓋体Ｃは、合成樹脂とは異なる異材質パーツである第１磁石２０および鏡２１を位置決め配置する蓋枠Ｅと、蓋枠Ｅの上面を覆うカバーＦとから構成されている。
図２および３に示すように、蓋枠Ｅは、下面が平坦な基板２２の中央に矩形状の開口部２３が形成されるとともに、開口部２３の周囲に沿って所定幅の段部２４が形成され、蓋枠Ｅは、全体として平面視で長方形の額縁状をなしている。
【００１９】
基板２２は、その後端縁２２ａから後方壁２５が所定の高さで立設されるとともに、その側端縁２２ｂの所定幅内側に沿って一対の側方壁２６，２６が後方壁２５と同じ高さで立設され、結果的に、蓋枠Ｅは、基板２２の上面から前方を除く三方を囲むように壁が立ち上がった形状をなしている。
一対の側方壁２６，２６は、その外面側の前後方向に沿って、それぞれガイドレール２７が形成され、ガイドレール２７の高さは、基板２２の側端縁２２ｂと水平投影面が一致するようになっている。
ガイドレール２７の下方の側方壁２６と基板２２の間に凹条２８が形成され、ガイドレール２７の後方には、ガイドレール２７の高さよりも低いストッパー凸部２９が形成されている。
【００２０】
基板２２の前方上面には、磁石包囲壁３０が第１磁石２０と同じ高さで立設されるとともに、その横方向の中央部は、第１磁石２０の高さよりも低くなるように、切欠部３１が形成されている。
磁石包囲壁３０には、その内側に固定ピン３２が植設され、第１磁石２０を磁石包囲壁３０の中で動かないように固定している。
なお、本実施例では、異材質パーツである第１磁石および鏡２１を位置決め配置する凹所として、磁石包囲壁３０および段部２４を基板上に形成しているが、異材質パーツの形状に応じて包囲壁および段部以外の凹所を形成しても構わない。
さらに、基板２２の後方下部には、ケース本体Ｂの第１ヒンジブロック１０，１０とヒンジ部Ｄを構成する断面かまぼこ形状の第２ヒンジブロック３３が形成され、第２ヒンジブロック３３には、横方向の軸孔３４が穿設されている。
【００２１】
図４および５に示すように、カバーＦは、上面が平坦な天板４０と、天板４０の前端縁４０ａに沿って所定の幅で垂下された正面壁４１と、正面壁４１の両端に接続され、天板４０の側端縁４０ｂに沿って垂下された一対の側面壁４２，４２とからなり、結果的に、カバーＦは、天板４０の下面から後方を除く三方を囲むように壁が垂下した平面視で長方形状をなしている。
なお、本実施例では、天板４０として、上面が平坦なものを例示しているが、デザイン性を考慮し、上面に丸みを持たせて彎曲させたものなど、様々な形状が採用でき、天板の形状は、これに限られない。
一対の側面壁４２，４２は、その内側の前後方向に沿って、それぞれ摺動凸条４３が形成され、摺動凸条４３の高さは、蓋枠Ｅの側方壁２６に形成された凹条２８の深さと同じに設定されている。
さらに、摺動凸条４３の後方には、蓋枠Ｅの側方壁２６に形成されたストッパー凸部２９に掛止される抜け止め凸条４４が形成され、抜け止め凸条４４の高さは摺動凸条４３の高さと同じに設定されている。
なお、本実施例では、蓋枠ＥおよびカバーＦを前後方向に摺動可能なガイド機構として、蓋枠Ｅのガイドレール２７および凹条２８と、カバーＦの摺動凸条４３とを具えているが、ガイド機構としては、これに限らず、様々な機構が採用し得る。
【００２２】
天板４０の下面には、側面壁４２と平行するとともに、前述した蓋枠Ｅの基板２２に形成された段部２４に載置された鏡２１の両側端を押さえるために、一対の鏡押えリブ４５，４５が形成されている。
なお、鏡押えリブ４５は、後述する磁石押えリブ４６と同様に、必要に応じて、後端部にテーパー部を形成しても構わない。
さらに、天板４０の下面前方端には、前述した磁石包囲壁３０に挿入された第１磁石２０を上面から押さえるために、左右２本ずつの磁石押えリブ４６が形成され、磁石押えリブ４６の後端部にはテーパー部４６ａが形成されている。
なお、本実施例では、蓋枠Ｅに位置決め配置された異材質パーツである第１磁石２０および鏡２１を固定するために、カバーＦの裏面に磁石押えリブ４６および鏡押えリブ４５が形成されているが、固定するための部材としては、リブに限らず、異材質パーツの上面の形状に合わせた凹所を形成するなど、様々なものが採用できる。
【００２３】
つぎに、本実施例の使用態様と作用効果について説明する。
蓋体Ｃの組み立ては、図７に示すように、以下の手順で蓋枠ＥおよびカバーＦに対して作業が行われる。
まず、第１手順として、蓋枠Ｅを水平に保持した状態で、基板２２の開口部２３の周囲に形成された段部２４に合わせて鏡の表面を下方に向けた状態で載置し、基板２２に対して鏡の位置決め配置を行うとともに、磁石包囲壁３０の中に第１磁石２０を挿入し、固定ピン３２により第１磁石２０が前後方向に動かないように位置決め配置を行う。
これらの作業により第１手順が完了する。
【００２４】
つぎに、第２手順として、図７（ａ）に示すように、カバーＦの天板４０を上にした水平状態で、蓋枠Ｅの前方から後方に向けて、カバーＦの摺動凸条４３の上面を蓋枠Ｅのガイドレール２７の下面と摺動するように凹条２８に挿入させながら押し込む。
そうすると、カバーＦの天板４０の下面に形成された鏡押えリブ４５は、鏡２１の裏面を押し付けながら蓋枠Ｆの後方に向けて摺動することになる。
その後、カバーＦの抜け止め凸部４４が蓋枠Ｅのストッパー凸部２９に衝当すると、抜け止め凸部４４は、そのままストッパー凸部２９を乗り越え、カバーＦの正面壁４１の裏面が蓋枠Ｅの基板２２の前端面に当接することにより、カバーＦの摺動が停止する。
それと同時に、天板４０の裏面に形成された磁石押えリブ４６は、磁石包囲壁３０に挿入された第１磁石２０の上面を押さえ付けながら蓋枠Ｆの後方に向けて摺動することになる。
その際に、磁石押えリブ４６の後端部に形成されたテーパー部４６ａは、第１磁石２０の上端部を徐々に押圧しながら摺動することにより、第１磁石２０が後方に押されて磁石包囲壁３０から抜け出るのを防止することができる。
なお、本実施例においては、蓋枠Ｅは、基板２２の上面から前方を除く三方を囲むように壁が立ち上がった形状をなし、カバーＦは、天板４０の下面から後方を除く三方を囲むように壁が垂下した形状をなしているが、これは、カバーＦを蓋枠Ｅに対して前方から後方に向かって摺動させるためである。
これと反対に、カバーＦを蓋体Ｅに対して後方から前方に向かって摺動させるのであれば、枠体Ｅについて、後方を除く三方を囲むように壁を立ち上げるとともに、カバーＦについて、前方を除く三方を囲むように壁を垂下させることは当然のことであり、どちらを選択するかは、必要に応じて適宜なし得ることである。
【００２５】
以上のように、本実施例の蓋体Ｃは、蓋枠Ｅに第１磁石２０および鏡２１を位置決め配置する第１手順と、蓋枠Ｅの上からカバーＦを水平に摺動させて被せる第２手順だけで組み立てを完了することができる。
そして、カバーＦの天板４０は、裏面の前後方向に磁石押えリブ４６および鏡押さえリブ４５を形成したことにより、第１磁石２０および鏡２１を蓋枠Ｅに対して確実に固定することができる。
蓋体Ｃの組み立てが完了した後、本実施例のコンパクトケースＡは、図１に全体を示すように、ヒンジ部Ｄを構成するケース本体Ｂの第１ヒンジブロック１０および蓋体Ｃの第２ヒンジブロック３３に穿設されたそれぞれの軸孔１１および３６に図示しないヒンジ軸を挿通することにより、蓋体Ｃをケース本体Ｂに開閉可能に枢着して使用する。
【００２６】
また、コンパクトケースＡを使用後に廃棄する際には、とくに、蓋体Ｃは、前述した組み立て手順と逆に、蓋枠Ｅに被せたカバーＦを前方に向けて水平方向に強めに摺動させると、抜け止め凸部４４がストッパー凸部２９を乗り越えることにより、蓋枠ＥからカバーＦを取り外すことができる。
そうすると、蓋枠Ｅに位置決め配置された第１磁石２０および鏡２１は、カバーＦの裏面に形成された磁石押えリブ４６および鏡押さえリブ４５による押圧力から解放され、蓋枠Ｅから異材質パーツである第１磁石２０および鏡２１を容易に取り外すことができる。
さらに、磁石包囲壁３０の横方向の中央部には、切欠部３１が形成されていることにより、第１磁石２０を取り外す際に、容易に摘み出すことができる。
【００２７】
以上のことから、本実施例のコンパクトケースは、樹脂製の蓋体から異材質パーツである磁石および鏡を容易に取り外すことにより、異材質パーツを効率的に分別廃棄することができる。
【産業上の利用可能性】
【００２８】
本発明のコンパクトケースは、蓋体から鏡や磁石などの異材質パーツを容易に取り外すことができることで、使用後に異材質パーツを分別廃棄することができ、環境に配慮したものとなり、化粧料などの携帯容器として広く利用することができる。
【符号の説明】
【００２９】
Ａ            コンパクトケース
Ｂ            ケース本体
Ｃ            蓋体
Ｄ            ヒンジ部
Ｅ            蓋枠
Ｆ            カバー
ｅ            第１凹部
ｆ            第２凹部
１            底壁
２            周壁
３            仕切壁
４            レフィル皿４
５            係合片
６，７        皿係止片
１０            第１ヒンジブロック
１１            軸孔
１２            第２磁石
１３            囲い壁
１４            磁石押え
２０            第１磁石
２１            鏡
２２            基板
２２ａ          後端縁
２２ｂ          側端縁
２３            開口部
２４            段部
２５            後方壁
２６            側方壁
２７            ガイドレール
２８            凹条
２９            ストッパー凸部
３０            磁石包囲壁
３１            切欠部
３２            固定ピン
３３            第２ヒンジブロック
３４            軸孔
４０            天板
４０ａ          前端縁
４１            正面壁
４２            側面壁
４３            摺動凸条
４４            抜け止め凸部
４５            鏡押えリブ
４６            磁石押えリブ
４６ａ          テーパー部
【図１】
2015104430.tif 000003
【図２】
2015104430.tif 000004
【図３】
2015104430.tif 000005
【図４】
2015104430.tif 000006
【図５】
2015104430.tif 000007
【図６】
2015104430.tif 000008
【図７】
2015104430.tif 000009